(57)【要約】【課題】保留装置を用いて遊技者の興趣を高めることができるパチンコ遊技機を提供する。【解決手段】遊技球が転動する遊技領域１４と、前記遊技領域１４に配設され、前記遊技領域１４を転動する遊技球を一時的に保留すると共に前記保留した遊技球を遊技者の操作により再び前記遊技領域１４へ放出する保留装置１００と、前記遊技領域１４に設けられ、前記保留装置１００よりも下方であって前記保留装置１００よりも左右方向にずれた位置に配置される特定入球口ワープ通路３４の入球口３７、を具備し、遊技者の操作のタイミングにより、前記保留装置１００から放出された一の遊技球を前記遊技領域１４を転動している他の遊技球に衝突させて前記一の遊技球及び／又は前記他の遊技球の転動状態を変化させ、前記一の遊技球及び／又は前記他の遊技球をへ向けて転動させることができるものである。【選択図】図７
2014117301.tif 000002
【特許請求の範囲】
【請求項１】
遊技球が転動する遊技領域と、
前記遊技領域に配設され、前記遊技領域を転動する遊技球を一時的に保留すると共に前記保留した遊技球を遊技者の操作により再び前記遊技領域へ放出する保留装置と、
前記遊技領域に設けられ、前記保留装置よりも下方であって前記保留装置よりも前後及び／又は左右方向にずれた位置に配置される特定入球口と、
を具備し、
遊技者の操作のタイミングにより、前記保留装置から放出された一の遊技球を前記遊技領域を転動している他の遊技球に衝突させて前記一の遊技球及び／又は前記他の遊技球の転動状態を変化させ、前記一の遊技球及び／又は前記他の遊技球を前記特定入球口へ向けて転動させることができる、
ことを特徴とするパチンコ遊技機。
【発明の詳細な説明】
【技術分野】
【０００１】
本発明は、遊技領域を転動する遊技球を一時的に保留すると共に前記保留した遊技球を遊技者の操作により再び前記遊技領域へ放出する保留装置を具備するパチンコ遊技機の技術に関する。
【背景技術】
【０００２】
従来、遊技球が転動する遊技領域と、前記遊技領域に配設され、前記遊技領域を転動する遊技球を一時的に保留すると共に前記保留した遊技球を遊技者の操作により再び前記遊技領域へ放出する保留装置と、を具備するパチンコ遊技機の技術は公知となっている。例えば、特許文献１に記載の如くである。
【０００３】
特許文献１に記載のパチンコ遊技機（パチンコ機）は、遊技球が転動する遊技領域と、前記遊技領域に配設され、前記遊技領域を転動する遊技球を一時的に保留すると共に前記保留した遊技球を遊技者の操作により再び前記遊技領域へ放出する保留装置（停留機構）と、を具備する。
【０００４】
このような構成により、前記パチンコ遊技機においては、保留装置を用いて遊技領域を転動する遊技球を一時的に保留すると共に前記保留した遊技球を遊技者の操作により再び前記遊技領域へ落下（放出）させ、前記落下させた遊技球を前記保留装置の真下方に配設された所定の入賞口に入賞させることができる。
【先行技術文献】
【特許文献】
【０００５】
【特許文献１】特開２００３−１９０４４３号公報
【発明の概要】
【発明が解決しようとする課題】
【０００６】
しかしながら、特許文献１に記載された技術においては、保留装置を用いて落下させた遊技球を前記保留装置の真下方に配設された所定の入賞口に入賞させるだけであり、遊技者の興趣を高めることができない点で問題であった。
【０００７】
本発明は、上記のような問題点に鑑みてなされたものであり、その解決しようとする課題は、保留装置を用いて遊技者の興趣を高めることができるパチンコ遊技機を提供することである。
【課題を解決するための手段】
【０００８】
本発明の解決しようとする課題は以上の如くであり、次にこの課題を解決するための手段を説明する。
【０００９】
即ち、請求項１においては、遊技球が転動する遊技領域と、前記遊技領域に配設され、前記遊技領域を転動する遊技球を一時的に保留すると共に前記保留した遊技球を遊技者の操作により再び前記遊技領域へ放出する保留装置と、前記遊技領域に設けられ、前記保留装置よりも下方であって前記保留装置よりも前後及び／又は左右方向にずれた位置に配置される特定入球口と、を具備し、遊技者の操作のタイミングにより、前記保留装置から放出された一の遊技球を前記遊技領域を転動している他の遊技球に衝突させて前記一の遊技球及び／又は前記他の遊技球の転動状態を変化させ、前記一の遊技球及び／又は前記他の遊技球を前記特定入球口へ向けて転動させることができるものである。
【発明の効果】
【００１０】
本発明の効果として、以下に示すような効果を奏する。
【００１１】
請求項１においては、保留装置を用いて遊技者の興趣を高めることができる。
【図面の簡単な説明】
【００１２】
【図１】本発明の第一実施形態に係る遊技機の全体的な構成を示した正面図。
【図２】同じく、遊技機の窓枠が開放された状態の構成を示した正面斜視図。
【図３】同じく、遊技盤の構成を示した正面図。
【図４】同じく、保留装置の構成を示した正面斜視図。
【図５】（ａ）同じく、遊技球を保留している状態の保留装置の構成を示した正面斜視図。（ｂ）同じく、遊技球を放出している状態の保留装置の構成を示した正面斜視図。
【図６】同じく、遊技球の転動態様の一例を示した正面模式図。
【図７】（ａ）及び（ｂ）同じく、保留装置から放出された一の遊技球を、遊技領域を転動している他の遊技球に衝突させる場合における、前記一の遊技球及び前記他の遊技球の転動態様を示した正面模式図。
【図８】（ａ）及び（ｂ）同じく、保留装置から放出された一の遊技球を、遊技領域を転動している他の遊技球に衝突させる場合における、前記一の遊技球及び前記他の遊技球の転動態様を示した正面模式図。
【図９】本発明の第二実施形態に係る遊技機における、遊技球の転動態様の一例を示した正面模式図。
【図１０】（ａ）及び（ｂ）同じく、第二保留装置から放出された一の遊技球を、遊技領域を転動している他の遊技球に衝突させる場合における、前記一の遊技球及び前記他の遊技球の転動態様を示した正面模式図。
【図１１】（ａ）及び（ｂ）同じく、第二保留装置から放出された一の遊技球を、遊技領域を転動している他の遊技球に衝突させる場合における、前記一の遊技球及び前記他の遊技球の転動態様を示した正面模式図。
【図１２】（ａ）及び（ｂ）同じく、第三保留装置から放出された一の遊技球を、遊技領域を転動している他の遊技球に衝突させる場合における、前記一の遊技球及び前記他の遊技球の転動態様を示した正面模式図。
【図１３】（ａ）及び（ｂ）同じく、第三保留装置から放出された一の遊技球を、遊技領域を転動している他の遊技球に衝突させる場合における、前記一の遊技球及び前記他の遊技球の転動態様を示した正面模式図。
【図１４】本発明の第三実施形態に係る遊技機における、遊技球の転動態様の一例を示した正面模式図。
【発明を実施するための形態】
【００１３】
まず、本発明の第一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１４】
遊技機１は、図１から図３が示すように、主として、外枠２と、中枠３と、窓枠４と、により構成される枠体に、各種の遊技部品が取り付けられて形成される。
【００１５】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１７】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板８により被覆される。窓枠開口部７の下部には、発射前の遊技球が貯溜される上皿９と、後述する保留装置１００の操作ボタン１０と、が配設される。窓枠開口部７の左右上方には、スピーカ１１がそれぞれ配設される。
【００１８】
下皿ユニット５は、中枠３の下部であって窓枠４の下方に取り付けられる。下皿ユニット５の中央には、上皿９から溢れた遊技球が貯溜される下皿１２が配設される。下皿ユニット５の右部であって下皿１２の右方には、発射ハンドル１３が配設される。発射ハンドル１３は、遊技者の回動操作により上皿９に貯溜された遊技球を発射可能に構成される。
【００１９】
遊技盤６は、遊技球が転動する領域（以下では、「遊技領域１４」と称する。）が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域１４は、窓枠４の窓枠開口部７の後方に配置され、前方から透明板８を介して視認可能に構成される。
【００２０】
次に、遊技盤６の構成について、図３及び図４を用いてさらに詳細に説明する。
【００２１】
遊技盤６は、図３に示すように、遊技板２０と、ガイドレール２１と、センター役物２２と、図柄表示装置２３と、可変入賞装置２４と、上入賞口２５と、一般入賞口２６と、大入賞装置２７と、アウト口２８と、保留装置１００等により構成される。
【００２２】
遊技板２０は、四隅が適宜に切り欠けられた略平板状に形成される部材である。遊技板２０には、遊技盤６を構成する各種の遊技部品が取り付けられる。遊技板２０は、アクリル樹脂やポリカーボネート（ＰＣ）等の透過性を有する部材によって形成される。遊技板２０の前側面には、前記遊技領域１４と、前記遊技領域１４に放出される遊技球が誘導される領域（以下では、「誘導路３０」と称する。）とが、ガイドレール２１により区画形成される。遊技領域１４には、複数の遊技釘Ｎが植設される（図６参照）。
【００２３】
ガイドレール２１は、正面視で略円弧状に形成される金属製の帯状の部材である。ガイドレール２１は、遊技板２０の前側面に正面視で略円形状となるように配置される。ガイドレール２１は、遊技板２０から短手方向を前後方向として前方へ向けて突出される。なお、遊技板２０の略中央に、ガイドレール２１により略円形状に区画形成された領域が、前記遊技領域１４として構成される。また、遊技板２０の左部にガイドレール２１により略弓形状に区画形成された領域が、前記誘導路３０として構成される。誘導路３０により誘導された遊技球は、遊技領域１４の左上端部に形成された放出口３１から、前記遊技領域１４に放出される。
【００２４】
センター役物２２は、その外観により遊技板２０を装飾する部材である。センター役物２２は正面視で略環状であって、その中央にセンター開口部３２が前後方向に貫通して形成される。センター役物２２は、遊技板２０を前後方向に貫通するように前記遊技板２０の中央から上部に渡って形成される孔に前方から挿入され、ボルト等により取り付けられる。センター役物２２には、ステージ３３と、ワープ通路３４と、が設けられる。
【００２５】
ステージ３３は、センター役物２２の下部に配置される。ステージ３３は、概ね左右方向に延出された台状に形成され、遊技球が転動可能に構成される。ステージ３３には、前記ステージ３３の一部を切り欠いた中央切り欠き部３５と、左・右切り欠き部３６Ｌ・３６Ｒと、が設けられる。これによって、ステージ３３を転動する遊技球は、その転動速度が遅くなると、中央切り欠き部３５及び左・右切り欠き部３６Ｌ・３６Ｒの何れかの切り欠き部から前下方に落下し、再び遊技領域１４を転動することになる。なお、中央切り欠き部３５から落下した遊技球は、真下方に配置された後述する上入賞口２５へ向けて転動する。
【００２６】
ワープ通路３４は、センター役物２２の左下部に配置される。ワープ通路３４は、概ね上下方向に延出された筒状に形成され、その内部を球技球が通過可能に構成される。ワープ通路３４の上端部には、前記ワープ通路３４への遊技球の入り口となる入球口３７が、左方の遊技領域１４を臨むように開口される。また、ワープ通路３４の下端部には、前記ワープ通路３４からの遊技球の出口となる排球口３８が、右方のステージ３３を臨むように開口される。このような構成により、ワープ通路３４は、センター役物２２の左方で転動する遊技球を、入球口３７及び排球口３８を介してステージ３３上に転動させることができ、ひいては上入賞口２５に入賞させ易くすることができる。
【００２７】
なお、遊技機１において、ワープ通路３４の入球口３７は、本発明に係る「特定入球口」の一実施形態である。また、保留装置１００は、本発明に係る「保留装置」の一実施形態である。そして、図３に示すように、入球口３７は、保留装置１００（より詳細には、保留装置１００の最下部であって遊技球が放出される放出口（下側の開口部１１３））よりも下方であって、前記保留装置１００よりも右方向にずれた位置に配置されている。
【００２８】
図柄表示装置２３は、前方を臨むように配設された液晶画面３９に、図柄や数字等の変動（図柄遊技）を表示可能に構成される装置である。液晶画面３９は、センター役物２２のセンター開口部３２の後方に配置される。このような構成により、遊技者は、前方からセンター開口部３２を介して液晶画面３９に表示される図柄遊技を視認することができる。
【００２９】
可変入賞装置２４は、遊技球が入賞可能に構成される装置である。可変入賞装置２４には、遊技球が入賞可能な始動入賞口４１と、前記始動入賞口４１を左右から挟んだ一対の可動片４０と、が設けられる。可変入賞装置２４は、所定の作動条件に応じて可動片４０が開閉作動し、始動入賞口４１に遊技球が入賞可能な開放状態と入賞不能な閉塞状態とが切り替えられる。可変入賞装置２４は、遊技領域１４の中央下部であってセンター役物２２の下方に配置される。可変入賞装置２４は、遊技球が入賞した場合に、入賞信号を図示せぬ主基板に送信可能に構成される。なお、前記主基板に前記入賞信号が受信されると、前記入賞信号に基づいた大当たり抽選が開始されると共に、図示せぬ賞球払出装置を介して所定数の遊技球（賞球）が払い出される。
【００３０】
上入賞口２５は、遊技球が入賞可能なものである。上入賞口２５は、上面が開口するポケット状であって、遊技領域１４から前方に突出して形成される。上入賞口２５は、可変入賞装置２４の始動入賞口４１の上方であって、センター役物２２のステージ３３の中央切り欠き部３５の真下方に配置される。すなわち、上入賞口２５は、ステージ３３の中央切り欠き部３５から落下した遊技球が入賞し易い位置に配置される。上入賞口２５は、遊技球が入賞した場合に、入賞信号を図示せぬ主基板に送信可能に構成される。なお、前記主基板に前記入賞信号が受信されると、前記入賞信号に基づいた大当たり抽選が開始されると共に、図示せぬ賞球払出装置を介して所定数の遊技球（賞球）が払い出される。
【００３１】
一般入賞口２６は、遊技球が入賞可能なものである。一般入賞口２６は、上面が開口するポケット状であって、遊技領域１４から前方に突出して形成される。一般入賞口２６は、遊技領域１４に複数個（本実施形態においては５個）が適宜に配置される。より詳細には、遊技領域１４の下部に４個の一般入賞口２６が配置され、遊技領域１４の左部に１個の一般入賞口２６（以下の説明では、「左部一般入賞口４２」と称する。）が配置される。左部一般入賞口４２は、センター役物２２のワープ通路３４の入球口３７の左下方に配置される。一般入賞口２６及び左部一般入賞口４２は、遊技球が入賞した場合に、入賞信号を図示せぬ主基板に送信可能に構成される。なお、前記主基板に前記入賞信号が受信されると、図示せぬ賞球払出装置を介して所定数の遊技球（賞球）が払い出される（前記入賞信号に基づいた大当たり抽選は開始されない）。
【００３２】
大入賞装置２７は、遊技球が入賞可能に構成される装置である。大入賞装置２７には、遊技球が入賞可能な大入賞口４３と、前記大入賞口４３を開閉可能な大入賞口扉４４と、が設けられる。大入賞装置２７は、前記大当たり抽選が大当たりとなると大入賞口扉４４が開閉作動し、大入賞口４３に遊技球が入賞可能な開放状態と入賞不能な閉塞状態とが切り替えられる。大入賞装置２７は、遊技領域１４の中央下部であって、可変入賞装置２４の下方に配置される。大入賞装置２７は、遊技球が入賞した場合に、入賞信号を図示せぬ主基板に送信可能に構成される。なお、前記主基板に前記入賞信号が受信されると、図示せぬ賞球払出装置を介して所定数の遊技球（賞球）が払い出される（前記入賞信号に基づいた大当たり抽選は開始されない）。
【００３３】
アウト口２８は、遊技領域１４を転動する遊技球が、大入賞口４３や始動入賞口４１等の各入賞口に入賞しなかった場合に、最終的に流入する開口部である。アウト口２８は、遊技領域１４の最下部に配置される。なお、アウト口２８に流入した遊技球は、遊技機１が設置されたパチンコホール等の遊技場側に回収される。
【００３４】
以下では、図３から図５を用いて、保留装置１００の構成について説明する。
【００３５】
保留装置１００は、遊技領域１４を転動する遊技球を一時的に保留すると共に前記保留した遊技球を遊技者の操作により再び遊技領域１４へ放出する装置である。図３に示すように、保留装置１００は、遊技領域１４の左上部に配置される。より詳細には、保留装置１００は、センター役物２２のワープ通路３４の入球口３７の左上方であって、遊技領域１４の左上端部に形成された放出口３１の下方に配置される。また、保留装置１００は、左部一般入賞口４２の真上方に配置される。保留装置１００は、図４に示すように、遊技領域１４を前後方向に貫通するように形成された孔１０１に挿入され、ボルト等により取り付けられる。保留装置１００は、図４に示すように、主として、保留部１１０と、放出部１２０と、により構成される。
【００３６】
保留部１１０は、図４に示すように、長手方向を上下方向とした細長形状であって、平面視で前側が開口された凹形状に形成される。保留部１１０の左右の壁部１１１・１１１は、互いに対向し、遊技球の直径よりも若干長く離間される。なお、保留部１１０の前方には、前記透明板８（図４では不図示）が配置される。こうして、保留部１１０は、透明板８と併せて、上側の開口部１１２と下側の開口部１１３とが連通した略四角筒状に形成される。なお、下側の開口部１１３は、保留装置１００から遊技球が放出される際の放出口となる。
【００３７】
放出部１２０は、図４に示すように、その板面を上下方向へ向けた略平板形状の平板部材１２１と、前記平板部材１２１を前後方向へ向けて進退移動させる進退機構１２２と、により構成される。平板部材１２１は、保留部１１０の下部であって、左右の壁部１１１・１１１の間に介設される。平板部材１２１は、保留部１１０の後下部に形成された開口部１１４を介して前方へ向けて突出される。平板部材１２１は、保留部１１０の後方に配設された進退機構１２２に連結される。平板部材１２１は、進退機構１２２の作動により前後方向へ向けて、すなわち保留部１１０内へ進退移動可能に構成される。なお、進退機構１２２は、前記操作ボタン１０の押し操作によって作動可能に構成される。
【００３８】
ここで、前記操作ボタン１０は、遊技者により押し操作されると操作信号を前記主基板に送信可能に構成される。そして、前記主基板に前記操作信号が受信されると、当該主基板により図示せぬ進退機構作動装置を介して進退機構１２２が作動するように構成される。このように、平板部材１２１の保留部１１０内への進退移動は、遊技者の操作により行うことができる。
【００３９】
このような構成において、図５（ａ）に示すように、放出部１２０の平板部材１２１が保留部１１０内に進出された状態である場合、遊技球が上側の開口部１１２から保留部１１０内に進入すると、前記進入した遊技球は保留部１１０内で平板部材１２１の上側面に載置（保持）され、下方への落下（転動）が規制される。すなわち、保留装置１００は、放出部１２０の平板部材１２１が保留部１１０内に進出された状態である場合に、遊技球を保留することができる。なお、本実施形態において、保留装置１００は、図５（ａ）に示すように、遊技球を５個まで保留することができる。
【００４０】
また、図５（ｂ）に示すように、放出部１２０の平板部材１２１が保留部１１０内から退避された状態である場合、前記保留部１１０内の遊技球は下方への落下（転動）を平板部材１２１により規制されず、前記保留部１１０から落下する（放出される）。すなわち、保留装置１００は、放出部１２０の平板部材１２１が保留部１１０内から退避された状態である場合に、遊技球を放出することができる。
【００４１】
ここで、前述したように、保留装置１００において、平板部材１２１の保留部１１０内への進退移動は、遊技者の操作により行うことできる。すなわち、保留装置１００に保留された遊技球の放出は、遊技者の操作（操作ボタン１０の押し操作）により行うことができる。本実施形態では、遊技者の操作（操作ボタン１０の押し操作）が１回行われるごとにと、１個の遊技球が保留装置１００から放出される。
【００４２】
以上のように、保留装置１００は、遊技球を一時的に保留すると共に前記保留した遊技球を遊技者の操作により再び遊技領域１４へ放出することができる。
【００４３】
次に、図６を用いて、放出口３１から遊技領域１４へ放出された遊技球の転動態様の一例について説明する。
図６においては、（１）遊技領域１４を転動する遊技球が保留装置１００に一時的に保留されて再び遊技領域１４に放出される場合における前記遊技球の転動態様、（２）遊技領域１４を転動する遊技球がワープ通路３４を通過する場合における前記遊技球の転動態様、の一例を示す。
【００４４】
なお、図６中の黒矢印は、遊技球の転動状態（方向）を示す。また、図６中の白矢印は、遊技球の想定される転動軌跡を示す。また、図６においては、説明の便宜上、各部材の構成を適宜に簡略化して図示する。
【００４５】
以下では、前記（１）遊技領域１４を転動する遊技球が保留装置１００に一時的に保留されて再び遊技領域１４に放出される場合における前記遊技球の転動態様の一例について説明する。
【００４６】
遊技球Ｐ１は、保留装置１００の右上方において、遊技釘Ｎ１・Ｎ２・Ｎ３に沿って左下方へ向けて転動している。なお、遊技球Ｐ１の左下方、すなわち遊技球Ｐ１の転動方向には、保留装置１００が配置される。
遊技球Ｐ２は、前記遊技球Ｐ１が保留装置１００の保留部１１０内に進入した場合の遊技球である。遊技球Ｐ２は、保留装置１００の保留部１１０内を下方へ向けて転動している。
遊技球Ｐ３は、前記遊技球Ｐ２が保留装置１００に保留された場合の遊技球である。遊技球Ｐ３は、保留装置１００の保留部１１０内で、放出部１２０の平板部材１２１に載置されている。
【００４７】
このように、保留装置１００は、遊技領域１４を転動する遊技球が保留部１１０内に進入可能であって、前記進入した遊技球を保留可能に構成される。
【００４８】
なお、遊技球Ｐ３は、保留装置１００から再び遊技領域１４に放出された場合、図６に示すように、真下方へ向けて落下（転動）する（後述する遊技球Ｐ４参照）。したがって、遊技球Ｐ３の想定される転動軌跡（以下では、「転動軌跡Ｌ１」と称する。）は、少なくとも遊技球Ｐ３の転動方向において前記転動を妨げる物（本実施形態では、左部一般入賞口４２）が配置される場所まで、前記遊技球Ｐ３から真下方へ向けて延出された略直線状となる。なお、図６に示すように、ワープ通路３４の入球口３７は、遊技球Ｐ３の想定される転動軌跡Ｌ１から外れた位置に配置されるものであり、保留装置１００から放出された遊技球Ｐ３の落下する方向からずれた位置に配置されるものである。
【００４９】
図６に示す遊技球Ｐ４は、前記遊技球Ｐ３が保留装置１００から再び遊技領域１４に放出された場合の遊技球である。遊技球Ｐ４は、保留装置１００から再び遊技領域１４に放出された後、真下方へ向けて落下（転動）している。なお、遊技球Ｐ４は、転動軌跡Ｌ１に沿って転動し、左部一般入賞口４２に到達する。
【００５０】
このように、保留装置１００は、前記保留装置１００から放出した遊技球を、左部一般入賞口４２に到達可能に構成される。したがって、遊技者は、保留装置１００が遊技球を保留している場合に、操作ボタン１０を押し操作して前記保留装置１００から遊技球を放出し、左部一般入賞口４２に入賞させて賞球を得ることができる。
【００５１】
以下では、前記（２）遊技領域１４を転動する遊技球がワープ通路３４を通過する場合における前記遊技球の転動態様の一例について説明する。
【００５２】
遊技球Ｐ５は、保留装置１００の右下方において、遊技釘Ｎ４の左方を下方へ向けて転動している。なお、遊技球Ｐ５の下方、すなわち遊技球Ｐ５の転動方向には、遊技釘Ｎ５が配置される。
遊技球Ｐ６は、前記遊技球Ｐ５が遊技釘Ｎ５に上方から衝突した場合の遊技球である。遊技球Ｐ６は、遊技釘Ｎ５に衝突した後、右上方へ向けて跳ね返り、前記右上方へ向けて転動している。なお、遊技球Ｐ６の右上方、すなわち遊技球Ｐ６の転動方向には、ワープ通路３４の入球口３７が配置される。
遊技球Ｐ７は、前記遊技球Ｐ６が入球口３７に入球し、ワープ通路３４に進入した場合の遊技球である。遊技球Ｐ７は、ワープ通路３４をステージ３３へ向けて通過（転動）している。
【００５３】
このように、本実施形態では、ワープ通路３４の入球口３７は、例えば遊技領域１４を転動する遊技球が上方から遊技釘Ｎ５に衝突した場合に入球し易いように構成される。
【００５４】
図７及び図８においては、保留装置１００から放出された一の遊技球（本実施形態では、遊技球Ｐ３）を遊技領域１４を転動している他の遊技球（本実施形態では、図７においては遊技球Ｐ８、図８においては遊技球Ｐ９）に衝突させる場合における、前記一の遊技球及び前記他の遊技球の転動態様を示す。
【００５５】
なお、図７及び図８中の黒矢印は、遊技球の転動状態（方向）を示す。また、図７及び図８中の白矢印は、遊技球の想定される転動軌跡を示す。また、図７及び図８においては、説明の便宜上、各部材の構成を適宜に簡略化して図示する。
【００５６】
図７（ａ）に示す遊技球Ｐ８は、保留装置１００の右方において、左下方へ向けて転動している。したがって、遊技球Ｐ８の想定される転動軌跡（以下では、「転動軌跡Ｌ２」と称する。）は、図７（ａ）に示すように、少なくとも遊技球Ｐ８の転動方向において遊技釘（図７に示す遊技釘Ｎ６）が配置される場所まで、前記遊技球Ｐ８から左下方へ向けて延出された略直線状となる。一方、図７（ａ）に示す遊技球Ｐ３は、保留装置１００に保留されている。
【００５７】
ここで、遊技球Ｐ８の想定される転動軌跡Ｌ２は、保留装置１００と左部一般入賞口４２とを結ぶ垂線を、右上方から左下方に跨いでいる。すなわち、遊技球Ｐ８の想定される転動軌跡Ｌ２は、前記遊技球Ｐ３の想定される転動軌跡Ｌ１と、交差している。したがって、遊技者の操作により遊技球Ｐ３が保留装置１００から放出された場合には、前記操作のタイミングにより前記遊技球Ｐ３が上方から遊技球Ｐ８に衝突することになる。
【００５８】
そして、遊技球Ｐ３が上方から遊技球Ｐ８に衝突した場合、前記衝突により遊技球Ｐ８の転動方向が変更される。本実施形態では、遊技球Ｐ３が上方から遊技球Ｐ８に衝突した場合、図７（ｂ）に示すように、前記遊技球Ｐ８の転動方向が、左下方から右下方へと変更される。すなわち、遊技球Ｐ８は、遊技球Ｐ３に衝突した後、想定された転動軌跡Ｌ２を外れて転動することになる。
【００５９】
そして、遊技球Ｐ８の右下方、すなわち変更された転動方向には、ワープ通路３４の入球口３７が配置される。したがって、遊技球Ｐ８は、遊技球Ｐ３に衝突して転動方向が変更された場合には、転動方向が変更される前と比べてワープ通路３４の入球口３７に入球し易くなる。
【００６０】
一方、遊技球Ｐ３が上方から遊技球Ｐ８に衝突した場合、前記衝突により遊技球Ｐ３の転動方向が変更される。すなわち、遊技球Ｐ３は、遊技球Ｐ８に衝突した後、想定された転動軌跡Ｌ１を外れて転動することになる（不図示）。
【００６１】
ここで、遊技球Ｐ３は、仮に遊技球Ｐ８に衝突しなかった場合には、左部一般入賞口４２に入賞し易いものである。換言すれば、遊技球Ｐ３は、仮に遊技球Ｐ８に衝突しなかった場合には、ワープ通路３４の入球口３７には入球し難いものである。したがって、遊技球Ｐ３は、遊技球Ｐ８に衝突して転動方向が変更された場合には、左部一般入賞口４２に入賞し難くなるため、少なくとも転動方向が変更される前よりもワープ通路３４の入球口３７に入球し易くなる。
【００６２】
図８（ａ）に示す遊技球Ｐ９は、保留装置１００の左方において、右下方へ向けて転動している。したがって、遊技球Ｐ９の想定される転動軌跡（以下では、「転動軌跡Ｌ３」と称する。）は、図８（ａ）に示すように、少なくとも遊技球Ｐ９の転動方向において遊技釘（図８に示す遊技釘Ｎ７）が配置される場所まで、前記遊技球Ｐ９から右下方へ向けて延出された略直線状となる。一方、図８（ａ）に示す遊技球Ｐ３は、保留装置１００に保留されている。
【００６３】
ここで、遊技球Ｐ９の想定される転動軌跡Ｌ３は、保留装置１００と左部一般入賞口４２とを結ぶ垂線を、左上方から右下方に跨いでいる。すなわち、遊技球Ｐ９の想定される転動軌跡Ｌ３は、前記遊技球Ｐ３の想定される転動軌跡Ｌ１と、交差している。したがって、遊技者の操作により遊技球Ｐ３が保留装置１００から放出された場合には、前記操作のタイミングにより前記遊技球Ｐ９が左上方から遊技球Ｐ３に衝突することになる。
【００６４】
そして、遊技球Ｐ９が左上方から遊技球Ｐ３に衝突した場合、前記衝突により遊技球Ｐ３の転動方向が変更される。本実施形態では、遊技球Ｐ９が左上方から遊技球Ｐ３に衝突した場合、図８（ｂ）に示すように、前記遊技球Ｐ３の転動方向が、真下方から右下方へと変更される。すなわち、遊技球Ｐ３は、遊技球Ｐ９に衝突した後、想定された転動軌跡Ｌ１を外れて転動することになる。
【００６５】
そして、遊技球Ｐ３の右下方、すなわち変更された転動方向には、ワープ通路３４の入球口３７が配置される。したがって、遊技球Ｐ３は、遊技球Ｐ９に衝突して転動方向が変更された場合には、転動方向が変更される前と比べてワープ通路３４の入球口３７に入球し易くなる。
【００６６】
一方、遊技球Ｐ９が左上方から遊技球Ｐ３に衝突した場合、前記衝突により遊技球Ｐ９の転動方向が変更される。すなわち、遊技球Ｐ９は、遊技球Ｐ３に衝突した後、想定された転動軌跡Ｌ３を外れて転動することになる（不図示）。
【００６７】
ここで、遊技球Ｐ９は、仮に遊技球Ｐ３に衝突しなかった場合には、ワープ通路３４の入球口３７よりも下方に位置する遊技釘Ｎ７に衝突するものであり、ワープ通路３４の入球口３７には入球し難いものである。したがって、遊技球Ｐ９は、遊技球Ｐ３に衝突して転動方向が変更された場合には、少なくとも転動方向が変更される前よりもワープ通路３４の入球口３７に入球し易くなる。
【００６８】
このように、遊技機１においては、遊技者の操作のタイミングにより、保留装置１００から放出された遊技球Ｐ３を遊技領域１４を転動している遊技球Ｐ８や遊技球Ｐ９に衝突させて前記遊技球Ｐ３及び／又は前記遊技球Ｐ８・遊技球Ｐ９の転動状態（方向）を変化させ、前記遊技球Ｐ３及び／又は前記遊技球Ｐ８・遊技球Ｐ９をワープ通路３４の入球口３７へ向けて転動させることができる。その結果、遊技機１においては、遊技者の操作のタイミングにより、前記遊技球Ｐ３及び／又は前記遊技球Ｐ８・遊技球Ｐ９をワープ通路３４の入球口３７に入球し易くすることができる。すなわち、遊技者の操作のタイミングが良ければ遊技を有利な条件とすることができるため、操作ボタン１０を押し操作する遊技者の興趣を高めることができる。
【００６９】
以上のように、遊技機１は、
遊技球が転動する遊技領域１４と、
前記遊技領域１４に配設され、前記遊技領域１４を転動する遊技球を一時的に保留すると共に前記保留した遊技球を遊技者の操作により再び前記遊技領域１４へ放出する保留装置１００と、
前記遊技領域１４に設けられ、前記保留装置１００よりも下方であって前記保留装置１００よりも左右方向にずれた位置に配置される特定入球口ワープ通路３４の入球口３７（特定入球口）と、
を具備し、
遊技者の操作のタイミングにより、前記保留装置１００から放出された一の遊技球を前記遊技領域１４を転動している他の遊技球に衝突させて前記一の遊技球及び／又は前記他の遊技球の転動状態（方向）を変化させ、前記一の遊技球及び／又は前記他の遊技球をワープ通路３４の入球口３７（特定入球口）へ向けて転動させることができるものである。
【００７０】
このような遊技機１の構成により、保留装置１００を用いて遊技者の興趣を高めることができる。
【００７１】
なお、遊技機１は、本発明に係る「パチンコ遊技機」の一実施形態である。すなわち、本発明に係る「パチンコ遊技機」は、遊技機１の構成に限定するものではない。例えば、本発明に係る「パチンコ遊技機」は、所謂一発台タイプの遊技機であってもよい。
【００７２】
また、遊技領域１４は、本発明に係る「遊技領域」の一実施形態である。本発明に係る「遊技領域」とは遊技球が転動する領域であればよく、センター役物２２のワープ通路３４の内部やステージ３３等も遊技球が転動する領域が有れば「遊技領域」となる。
【００７３】
また、前述したように、保留装置１００は、本発明に係る「保留装置」の一実施形態である。すなわち、本発明に係る「保留装置」は、保留装置１００の構成に限定するものではない。例えば、本実施形態では、保留装置１００は、遊技者の操作（操作ボタン１０の押し操作）が１回行われるごとに保留している複数の遊技球のうち１個の遊技球を放出する構成としたが、全ての遊技球を放出する構成としてもよい。また、保留装置１００は、例えば操作ボタン１０への押し操作の継続時間に応じて平板部材１２１を保留部１１０内から退避させる状態を継続して、遊技者の所望する個数の遊技球を放出する構成としてもよい。
【００７４】
また、本実施形態では、保留装置１００の操作は、窓枠４に設けられた操作ボタン１０の押し操作により行うものとしたが、非接触型センサを遊技盤６に設けて、遊技者が遊技盤６側（前記非接触センサ側）に手をかざすことにより行うものであってもよい。
【００７５】
また、前述したように、ワープ通路３４の入球口３７は、本発明に係る「特定入球口」の一実施形態である。すなわち、本発明に係る「特定入球口」は、ワープ通路３４の入球口３７の構成に限定するものではない。例えば、本発明に係る「特定入球口」は、本発明に係る「パチンコ遊技機」が前記一発台タイプの遊技機である場合に、センター役物２２の内部に設けられる所謂クルーンに通じる入球口等、遊技球が入球することにより遊技者が有利となるような入球口であればよい。
【００７６】
また、本実施形態では、保留装置１００の真下方に左部一般入賞口４２を設ける構成としたが、左部一般入賞口４２を設けない構成としてもよい。すなわち、保留装置１００から放出された遊技球（図６に示す遊技球Ｐ４）が、何れの入賞口にも入賞せず、アウト口２８に到達するような構成としてもよい。
【００７７】
次に、本発明の第二実施形態に係る遊技機２０１の構成について、図面を用いて説明する。
【００７８】
なお、遊技機２０１の構成において遊技機１の構成と異なる点は、中央一般入賞口２１０と、（センター役物２２の替わりに）第二センター役物２２０と、（保留装置１００の替わりに）第二保留装置３１０及び第三保留装置３２０と、が設けられる点である。以下では、図９から図１３を用いて、これらの異なる点を中心に説明する。
【００７９】
なお、図９から図１３中の黒矢印は、遊技球の転動状態（方向）を示す。また、図９から図１３中の白矢印は、遊技球の想定される転動軌跡を示す。また、図９から図１３においては、説明の便宜上、各部材の構成を適宜に簡略化して図示する。
【００８０】
図９に示す中央一般入賞口２１０は、遊技球が入賞可能なものである。中央一般入賞口２１０は、上面が開口するポケット状であって、遊技領域１４から前方に突出して形成される。中央一般入賞口２１０は、第二センター役物２２０の下方、より詳細にはステージ３３の左切り欠き部３６Ｌの真下方に配置される。中央一般入賞口２１０は、遊技球が入賞した場合に、入賞信号を図示せぬ主基板に送信可能に構成される。なお、前記主基板に前記入賞信号が受信されると、図示せぬ賞球払出装置を介して所定数の遊技球（賞球）が払い出される（前記入賞信号に基づいた大当たり抽選は開始されない）。
【００８１】
第二センター役物２２０は、その外観により遊技板２０を装飾する部材である。第二センター役物２２０は正面視で略環状であって、その中央にセンター開口部３２が前後方向に貫通して形成される。第二センター役物２２０は、遊技板２０を前後方向に貫通するように前記遊技板２０の中央から上部に渡って形成される孔に前方から挿入され、ボルト等により取り付けられる。第二センター役物２２０には、前記ステージ３３と、前記ワープ通路３４と、上部振分部２２１と、第二ワープ通路２２２と、第二保留装置３１０と、第三保留装置３２０と、が設けられる。
【００８２】
以下では、前述したステージ３３の構成について、より詳細に説明する。
ステージ３３は、前述したように、センター役物２２の下部に配置される。より詳細には、ステージ３３は、概ね左右方向に延出された台状の部材が、センター役物２２の下部の前側面よりも後方に配置されることにより形成される。ここで、本実施形態において、センター役物２２の前側面は、遊技盤６の表面（すなわち、遊技領域１４）と前後方向位置が略同一となるように構成される。このように、ステージ３３はセンター役物２２の下部の前側面よりも後方に配置され、当該ステージ３３を転動する遊技球はセンター役物２２の下部の前側面（さらには、遊技領域１４）よりも後方にて概ね左右方向に転動する。
【００８３】
上部振分部２２１は、第二センター役物２２０の最上部に配置される。上部振分部２２１は、概ね左右方向を長手方向とする中空筒状に形成され、その内部を遊技球が通過（転動）することができる。上部振分部２２１の左右中央の上部には上部開口部２２３が形成され、遊技領域１４と前記上部振分部２２１の内部とが前記上部開口部２２３を介して連通される。これにより、遊技領域１４を転動する遊技球は、上部開口部２２３から上部振分部２２１の内部に進入することができる。上部振分部２２１は、左右中央から右下方及び左下方へ向けてそれぞれ緩やかに傾斜し、上部開口部２２３から進入した遊技球が何れかの方向へ転動するように形成される。なお、上部振分部２２１の左部には、第二保留装置３１０が設けられる。また、上部振分部２２１の右部には、第二ワープ通路２２２が設けられる。
【００８４】
第二保留装置３１０は、遊技領域１４を転動する遊技球を一時的に保留すると共に前記保留した遊技球を遊技者の操作により再び遊技領域１４へ放出する装置である。より詳細には、第二保留装置３１０は、上部振分部２２１の内部に進入した遊技球のうち、左方へ向けて転動した遊技球を一時的に保留可能に構成される。第二保留装置３１０は、長手方向を左右方向から若干斜めに（右上がりに）傾斜した方向として配置される。なお、第二保留装置３１０は、保留装置１００の構成と略同一であるため、その詳細な説明を省略する。
【００８５】
第二ワープ通路２２２は、第二センター役物２２０の右部から右下部に渡って配置される。第二ワープ通路２２２は、正面視でＬ字状に延出された筒状に形成され、その内部を球技球が通過可能に構成される。第二ワープ通路２２２の上端部には、前記第二ワープ通路２２２への遊技球の入り口となる第二入球口２２４が、上部振分部２２１の右部内を下方から臨むように形成される。また、第二ワープ通路２２２の下端部には、前記第二ワープ通路２２２からの遊技球の出口となる第二排球口２２５が、第三保留装置３２０の保留部１１０内を右方から臨むように形成される。このような構成により、第二ワープ通路２２２は、上部振分部２２１の内部に進入した遊技球のうち、右方へ向けて転動した遊技球を、第三保留装置３２０の保留部１１０内に進入させることができる。
【００８６】
第三保留装置３２０は、遊技領域１４を転動する遊技球を一時的に保留すると共に前記保留した遊技球を遊技者の操作により再び遊技領域１４へ放出する装置である。より詳細には、第三保留装置３２０は、上部振分部２２１の内部に進入した遊技球のうち、右方へ向けて転動した遊技球を、第二ワープ通路２２２を介して一時的に保留可能に構成される。第三保留装置３２０は、ステージ３３の上方に配置される。また、第三保留装置３２０は、長手方向を左右方向から若干斜めに（右上がりに）傾斜した方向として配置される。このようにして、第三保留装置３２０（より詳細には、第三保留装置３２０の最下部であって遊技球が放出される放出口（下側の開口部１１３））は、前後方向位置において遊技領域１４の後方に配置される。なお、第三保留装置３２０は、保留装置１００の構成と略同一であるため、その詳細な説明を省略する。
【００８７】
なお、第二保留装置３１０の遊技球の放出は、窓枠４に設けられる第二操作ボタン（不図示）を遊技者が押し操作することにより行われる。また、第三保留装置３２０の遊技球の放出は、窓枠４に設けられる第三操作ボタン（不図示）を遊技者が押し操作することにより行われる。このように、第二保留装置３１０と第三保留装置３２０とは、遊技者により別々に操作可能に構成される。
【００８８】
次に、図９を用いて、第二センター役物２２０の上部振分部２２１の内部に進入した遊技球の転動態様の一例について説明する。
【００８９】
まず、遊技球Ｐ１０は、第二センター役物２２０の上方を右下方へ向けて転動している。なお、遊技球Ｐ１０の右下方、すなわち遊技球Ｐ１０の転動方向には、上部振分部２２１の上部開口部２２３が配置される。
遊技球Ｐ１１は、前記遊技球Ｐ１０が上部振分部２２１の内部に進入し、左方へ向けて転動した場合の遊技球である。遊技球Ｐ１１は、上部振分部２２１の形状に沿って前記上部振分部２２１の内部を左下方へ向けて転動している。なお、遊技球Ｐ１１の転動方向には、第二保留装置３１０が配置される。
遊技球Ｐ１２は、前記遊技球Ｐ１１が第二保留装置３１０に保留された場合の遊技球である。遊技球Ｐ１２は、第二保留装置３１０の保留部１１０内で、放出部１２０の平板部材１２１に保持されている。
【００９０】
なお、前記遊技球Ｐ１２が第二保留装置３１０から再び遊技領域１４に放出された場合、前記遊技球Ｐ１２は左下方へ向けた放物線状に落下（転動）する。すなわち、遊技球Ｐ１２の想定される転動軌跡（以下では、「転動軌跡Ｌ４」と称する。）は、前記遊技球Ｐ１２の転動方向において前記転動を妨げる物（本実施形態では、左部一般入賞口４２）が配置される場所まで、前記遊技球Ｐ１２から左下方へ向けて延出された略放物線状となる。なお、図９に示すように、前記ワープ通路３４の入球口３７は、遊技球Ｐ１２の想定される転動軌跡Ｌ４から外れた位置に配置されるものであり、第二保留装置３１０から放出された遊技球Ｐ１２の落下する方向からずれた位置に配置されるものである。
【００９１】
なお、遊技機２０１において、ワープ通路３４の入球口３７は、本発明に係る「特定入球口」の一実施形態である。また、第二保留装置３１０は、本発明に係る「保留装置」の一実施形態である。そして、図９に示すように、入球口３７は、第二保留装置３１０（より詳細には、第二保留装置３１０の最下部であって遊技球が放出される放出口（下側の開口部１１３））よりも下方であって、前記第二保留装置３１０よりも右方向にずれた位置（図９に示す第二保留装置３１０の最下部から真下方への垂線Ｃ１よりも右方向にずれた位置）に配置されている。
【００９２】
なお、第二保留装置３１０の放出口（下側の開口部１１３）は、保留装置１００とは異なり真下方では無く、側方（本実施形態では、左側方）へ向けられている。このような場合には、入球口３７と第二保留装置３１０とは、必ずしも左右方向にずれていなくても良い。ただし、第二保留装置３１０の放出口は左側方へ向けられて構成されるが、当該構成によって放出口から放出された遊技球がワープ通路３４の入球口３７に直接（他の遊技球と衝突せずに）入球可能となるものではない。
【００９３】
遊技球Ｐ１４は、前記遊技球Ｐ１０が上部振分部２２１の内部に進入し、右方へ向けて転動した場合の遊技球である。遊技球Ｐ１４は、上部振分部２２１の形状に沿って前記上部振分部２２１の内部を右下方へ向けて転動している。なお、遊技球Ｐ１４の転動方向には、第二入球口２２４を介して第二ワープ通路２２２が配置される。
遊技球Ｐ１５は、前記遊技球Ｐ１４が第二入球口２２４から第二ワープ通路２２２に進入した場合の遊技球である。遊技球Ｐ１５は、第二ワープ通路２２２の内部を下方へ向けて転動している。なお、遊技球Ｐ１５の転動方向には、第二排球口２２５を介して第三保留装置３２０が配置される。
遊技球Ｐ１６は、前記遊技球Ｐ１５が第三保留装置３２０に保留された場合の遊技球である。遊技球Ｐ１６は、第三保留装置３２０の保留部１１０内で、放出部１２０の平板部材１２１に保持されている。
【００９４】
なお、前記遊技球Ｐ１６が第三保留装置３２０から放出された場合、前記遊技球Ｐ１６はステージ３３（より詳細には、左切り欠き部３６Ｌの右端部）に落下し、前記落下した後にステージ３３を左方へ向けて転動して左切り欠き部３６Ｌから前下方に落下する。すなわち、遊技球Ｐ１６の想定される転動軌跡（以下では、「転動軌跡Ｌ５」と称する。）は、左切り欠き部３６Ｌの右端部に落下した後、左方へ向けてステージ３３（より詳細には、左切り欠き部３６Ｌ）の形状に沿って延出された形状と、前記左切り欠き部３６Ｌから中央一般入賞口２１０まで真下方へ向けて延出された略直線状の形状と、が合わさった形状となる。なお、図９に示すように、前記上入賞口２５は、遊技球Ｐ１６の想定される転動軌跡Ｌ５から外れた位置に配置されるものであり、第三保留装置３２０から放出された遊技球Ｐ１６の落下する方向からずれた位置に配置されるものである。
【００９５】
なお、遊技機２０１において、上入賞口２５は、本発明に係る「特定入球口」の一実施形態である。また、第三保留装置３２０は、本発明に係る「保留装置」の一実施形態である。ここで、前述したように、上入賞口２５は、上面が開口するポケット状であって遊技領域１４から前方に突出して形成されるものであり、遊技領域１４の前方に配置される。また、第三保留装置３２０（より詳細には、第三保留装置３２０の最下部であって遊技球が放出される放出口（下側の開口部１１３））は、遊技領域１４の後方に配置される。すなわち、上入賞口２５は、図９に示すように、第三保留装置３２０（より詳細には、第三保留装置３２０の最下部であって遊技球が放出される放出口（下側の開口部１１３））よりも下方であって、前記第三保留装置３２０よりも右方向にずれた位置（図９に示す第三保留装置３２０の最下部から真下方への垂線Ｃ２よりも右方向にずれた位置）であって、前記第三保留装置３２０よりも前方向にずれた位置に配置されている。
【００９６】
次に、図１０及び図１１において、第二保留装置３１０から放出された一の遊技球（本実施形態では、遊技球Ｐ１２）を遊技領域１４を転動している他の遊技球（本実施形態では、図１０においては遊技球Ｐ１８、図１１においては遊技球Ｐ１９）に衝突させる場合における、前記一の遊技球及び前記他の遊技球の転動態様を示す。
【００９７】
図１０（ａ）に示す遊技球Ｐ１８は、左部一般入賞口４２の右上方であって、第二センター役物２２０の左方において、左下方へ向けて転動している。したがって、遊技球Ｐ１８の想定される転動軌跡（以下では、「転動軌跡Ｌ６」と称する。）は、図１０（ａ）に示すように、少なくとも遊技球Ｐ１８の転動方向において遊技釘（図１０に示す遊技釘Ｎ８）が配置される場所まで、前記遊技球Ｐ１８から左下方へ向けて延出された略直線状となる。一方、図１０（ａ）に示す遊技球Ｐ１２は、第二保留装置３１０に保留されている。
【００９８】
ここで、遊技球Ｐ１８の想定される転動軌跡Ｌ６は、前記遊技球Ｐ１２の想定される転動軌跡Ｌ４と、交差している。したがって、遊技者の操作により遊技球Ｐ１２が第二保留装置３１０から放出された場合には、前記操作のタイミングにより前記遊技球Ｐ１２が上方から遊技球Ｐ１８に衝突することになる。
【００９９】
そして、遊技球Ｐ１２が上方から遊技球Ｐ１８に衝突した場合、前記衝突により遊技球Ｐ１８の転動方向が変更される。本実施形態では、遊技球Ｐ１２が上方から遊技球Ｐ１８に衝突した場合、図１０（ｂ）に示すように、前記遊技球Ｐ１８の転動方向が、左下方から右下方へと変更される。すなわち、遊技球Ｐ１８は、遊技球Ｐ１２に衝突した後、想定された転動軌跡Ｌ６を外れて転動することになる。
【０１００】
そして、遊技球Ｐ１８の右下方、すなわち変更された転動方向には、ワープ通路３４の入球口３７が配置される。したがって、遊技球Ｐ１８は、遊技球Ｐ１２に衝突して転動方向が変更された場合には、転動方向が変更される前と比べてワープ通路３４の入球口３７に入球し易くなる。
【０１０１】
一方、遊技球Ｐ１２が上方から遊技球Ｐ１８に衝突した場合、前記衝突により遊技球Ｐ１２の転動方向が変更される。すなわち、遊技球Ｐ１２は、遊技球Ｐ１８に衝突した後、想定された転動軌跡Ｌ４を外れて転動することになる（不図示）。
【０１０２】
ここで、遊技球Ｐ１２は、仮に遊技球Ｐ１８に衝突しなかった場合には、左部一般入賞口４２に入賞し易いものである。換言すれば、遊技球Ｐ１２は、仮に遊技球Ｐ１８に衝突しなかった場合には、ワープ通路３４の入球口３７には入球し難いものである。したがって、遊技球Ｐ１２は、遊技球Ｐ１８に衝突して転動方向が変更された場合には、左部一般入賞口４２に入賞し難くなるため、少なくとも転動方向が変更される前よりもワープ通路３４の入球口３７に入球し易くなる。
【０１０３】
図１１（ａ）に示す遊技球Ｐ１９は、左部一般入賞口４２の上方であって、第二センター役物２２０の左方において、右下方へ向けて転動している。したがって、遊技球Ｐ１９の想定される転動軌跡（以下では、「転動軌跡Ｌ７」と称する。）は、図１１（ａ）に示すように、少なくとも遊技球Ｐ１９の転動方向において遊技釘（図１１に示す遊技釘Ｎ９）が配置される場所まで、前記遊技球Ｐ１９から右下方へ向けて延出された略直線状となる。一方、図１１（ａ）に示す遊技球Ｐ１２は、第二保留装置３１０に保留されている。
【０１０４】
ここで、遊技球Ｐ１９の想定される転動軌跡Ｌ７は、前記遊技球Ｐ１２の想定される転動軌跡Ｌ４と、交差している。したがって、遊技者の操作により遊技球Ｐ１２が第二保留装置３１０から放出された場合には、前記操作のタイミングにより前記遊技球Ｐ１９が左上方から遊技球Ｐ１２に衝突することになる。
【０１０５】
そして、遊技球Ｐ１９が左上方から遊技球Ｐ１２に衝突した場合、前記衝突により遊技球Ｐ１２の転動方向が変更される。本実施形態では、遊技球Ｐ１９が左上方から遊技球Ｐ１２に衝突した場合、図１１（ｂ）に示すように、前記遊技球Ｐ１２の転動方向が、左下方から右下方へと変更される。すなわち、遊技球Ｐ１２は、遊技球Ｐ１９に衝突した後、想定された転動軌跡Ｌ１を外れて転動することになる。
【０１０６】
そして、遊技球Ｐ１２の右下方、すなわち変更された転動方向には、ワープ通路３４の入球口３７が配置される。したがって、遊技球Ｐ１２は、遊技球Ｐ１９に衝突して転動方向が変更された場合には、転動方向が変更される前と比べてワープ通路３４の入球口３７に入球し易くなる。
【０１０７】
一方、遊技球Ｐ１９が左上方から遊技球Ｐ１２に衝突した場合、前記衝突により遊技球Ｐ１９の転動方向が変更される。すなわち、遊技球Ｐ１９は、遊技球Ｐ１２に衝突した後、想定された転動軌跡Ｌ７を外れて転動することになる（不図示）。
【０１０８】
ここで、遊技球Ｐ１９は、仮に遊技球Ｐ１２に衝突しなかった場合には、ワープ通路３４の入球口３７の前に位置する遊技釘Ｎ９に衝突するものであり、前記ワープ通路３４の入球口３７に入球し難いものである。したがって、遊技球Ｐ１９は、遊技球Ｐ１２に衝突して転動方向が変更された場合には、少なくとも転動方向が変更される前よりもワープ通路３４の入球口３７に入球し易くなる。
【０１０９】
以上のように、遊技機２０１においては、遊技者の操作のタイミングにより、第二保留装置３１０から放出された遊技球Ｐ１２を遊技領域１４を転動している遊技球Ｐ１８や遊技球Ｐ１９に衝突させて前記遊技球Ｐ１２及び／又は前記遊技球Ｐ１８・遊技球Ｐ１９の転動状態（方向）を変化させ、前記遊技球Ｐ１２及び／又は前記遊技球Ｐ１８・遊技球Ｐ１９をワープ通路３４の入球口３７へ向けて転動させることができる。その結果、遊技機２０１においては、遊技者の操作のタイミングにより、前記遊技球Ｐ１２及び／又は前記遊技球Ｐ１８・遊技球Ｐ１９をワープ通路３４の入球口３７に入球し易くすることができる。すなわち、遊技者の操作のタイミングが良ければ遊技を有利な条件とすることができるため、前記第二操作ボタン及び前記第三操作ボタンを押し操作する遊技者の興趣を高めることができる。
【０１１０】
次に、図１２及び図１３において、第三保留装置３２０から放出された一の遊技球（本実施形態では、遊技球Ｐ１６）を遊技領域１４を転動している他の遊技球（本実施形態では、図１２においては遊技球Ｐ２０、図１３においては遊技球Ｐ２１）に衝突させる場合における、前記一の遊技球及び前記他の遊技球の転動態様を示す。
【０１１１】
図１２（ａ）に示す遊技球Ｐ２０は、第二センター役物２２０のステージ３３を右方から左方へ向けて転動している。ここで、遊技球Ｐ２０は、徐々にその転動速度が遅くなっており、左切り欠き部３６Ｌから前下方に落下すると仮定する。その場合、遊技球Ｐ２０の想定される転動軌跡（以下では、「転動軌跡Ｌ９」と称する。）は、図１２（ａ）に示すように、左方へ向けて前記ステージ３３の形状に沿って延出された形状と、前記左切り欠き部３６Ｌから中央一般入賞口２１０まで真下方へ向けて延出された略直線状の形状と、が合わさった形状となる。一方、図１２（ａ）に示す遊技球Ｐ１６は、第三保留装置３２０に保留されている。
【０１１２】
ここで、遊技球Ｐ２０の想定される転動軌跡Ｌ９は、前記遊技球Ｐ１６の想定される転動軌跡Ｌ５と、左切り欠き部３６Ｌの右端部からの軌跡が重複している。したがって、遊技者の操作により遊技球Ｐ１６が第三保留装置３２０から放出された場合には、前記操作のタイミングにより前記遊技球Ｐ１６が左切り欠き部３６Ｌの右端部で遊技球Ｐ２０に衝突することになる。
【０１１３】
そして、遊技球Ｐ１６が遊技球Ｐ２０に衝突した場合、前記衝突により遊技球Ｐ２０が跳ね返って、その転動状態（速度及び方向）が変更される。本実施形態では、遊技球Ｐ１６が遊技球Ｐ２０に衝突した場合、図１２（ｂ）に示すように、前記遊技球Ｐ２０の転動方向が、左方から右方へと変更される。すなわち、遊技球Ｐ２０は、遊技球Ｐ１６に衝突した後、想定された転動軌跡Ｌ９を外れると共に転動速度が変更され、逆方向である右方へ向けてゆっくりと転動することになる。
【０１１４】
そして、遊技球Ｐ２０の右方、すなわち変更された転動方向には、中央切り欠き部３５が配置される。したがって、遊技球Ｐ２０は、遊技球Ｐ１６に衝突して転動状態（速度及び方向）が変更された場合には、中央切り欠き部３５から前下方に落下し易くなる。なお、中央切り欠き部３５の真下方には、上入賞口２５が配置される。すなわち、遊技球Ｐ２０は、遊技球Ｐ１６に衝突して転動状態（速度及び方向）が変更された場合には、上入賞口２５に入賞し易くなる。
【０１１５】
図１３（ａ）に示す遊技球Ｐ２１は、第二センター役物２２０のステージ３３を左方から右方へ向けて転動している。そして、遊技球Ｐ２１は、徐々にその転動速度が遅くなっており、右切り欠き部３６Ｒから前下方に落下すると仮定する。その場合、遊技球Ｐ２１の想定される転動軌跡（以下では、「転動軌跡Ｌ１０」と称する。）は、図１３（ａ）に示すように、右方へ向けて前記ステージ３３の形状に沿って延出された形状と、前記右切り欠き部３６Ｒから真下方へ向けて延出された略直線状の形状と、が合わさった形状となる。一方、図１３（ａ）に示す遊技球Ｐ１６は、第三保留装置３２０に保留されている。
【０１１６】
ここで、遊技球Ｐ２１の想定される転動軌跡Ｌ１０は、前記遊技球Ｐ１６の想定される転動軌跡Ｌ５と、左切り欠き部３６Ｌの右端部で交差している。したがって、遊技者の操作により遊技球Ｐ１６が第三保留装置３２０から放出された場合には、前記操作のタイミングにより前記遊技球Ｐ２１が左方から遊技球Ｐ１６に衝突することになる。
【０１１７】
そして、遊技球Ｐ２１が左方から遊技球Ｐ１６に衝突した場合、前記衝突により遊技球Ｐ１６の転動状態（速度及び方向）が変更される。本実施形態では、遊技球Ｐ２１が左方から遊技球Ｐ１６に衝突した場合、図１３（ｂ）に示すように、前記遊技球Ｐ１６の転動方向が、左方から右方へと変更される。すなわち、遊技球Ｐ１６は、遊技球Ｐ２１に衝突した後、想定された転動軌跡Ｌ５を外れると共に転動速度が変更され、逆方向である右方へ向けてゆっくりと転動することになる。
【０１１８】
そして、遊技球Ｐ１６の右方、すなわち変更された転動方向には、中央切り欠き部３５が配置される。したがって、遊技球Ｐ１６は、遊技球Ｐ２１に衝突して転動状態（速度及び方向）が変更された場合には、中央切り欠き部３５から前下方に落下し易くなる。なお、中央切り欠き部３５の真下方には、上入賞口２５が配置される。すなわち、遊技球Ｐ１６は、遊技球Ｐ２１に衝突して転動状態（速度及び方向）が変更された場合には、上入賞口２５に入賞し易くなる。
【０１１９】
以上のように、遊技機２０１においては、遊技者の操作のタイミングにより、第三保留装置３２０から放出された遊技球Ｐ１６をステージ３３を転動している遊技球Ｐ２０や遊技球Ｐ２１に衝突させて前記遊技球Ｐ１６及び／又は前記遊技球Ｐ２０・遊技球Ｐ２１の転動状態（速度及び方向）を変化させ、前記遊技球Ｐ１６及び／又は前記遊技球Ｐ２０・遊技球Ｐ２１を上入賞口２５へ向けて転動させることができる。その結果、遊技機２０１においては、遊技者の操作のタイミングにより、前記遊技球Ｐ１６及び／又は前記遊技球Ｐ２０・遊技球Ｐ２１を上入賞口２５に入球（入賞）し易くすることができる。すなわち、遊技者の操作のタイミングが良ければ遊技を有利な条件とすることができるため、前記第二操作ボタン及び前記第三操作ボタンを押し操作する遊技者の興趣を高めることができる。
【０１２０】
なお、本実施形態において、本発明に係る「特定入球口」の一実施形態である上入賞口２５は、本発明に係る「保留装置」の一実施形態である第三保留装置３２０よりも右方向及び前方向にずれた位置に配置される構成としているが、この構成に限定するものではない。すなわち、本発明に係る「特定入球口」は、例えばステージ３３の左右方向の一端側に配置される場合のように、本発明に係る「保留装置」よりも左右方向にずれた位置であって、且つ前後方向にずれていない位置に配置される構成であってもよい。
【０１２１】
次に、本発明の第三実施形態に係る遊技機３０１の構成について、図面を用いて説明する。
【０１２２】
なお、遊技機３０１の構成において遊技機２０１の構成と異なる点は、（第二センター役物２２０の替わりに）第三センター役物３４０と、（第二保留装置３１０及び第三保留装置３２０の替わりに）第四保留装置３３０と、が設けられる点である。以下では、図１４を用いて、これらの異なる点を中心に説明する。
【０１２３】
なお、図１４中の黒矢印は、遊技球の転動状態（方向）を示す。また、図１４においては、説明の便宜上、各部材の構成を適宜に簡略化して図示する。
【０１２４】
第三センター役物３４０は、その外観により遊技板２０を装飾する部材である。第三センター役物３４０は正面視で略環状であって、その中央にセンター開口部３２が前後方向に貫通して形成される。第三センター役物３４０は、遊技板２０を前後方向に貫通するように前記遊技板２０の中央から上部に渡って形成される孔に前方から挿入され、ボルト等により取り付けられる。第三センター役物３４０には、前記ステージ３３と、前記ワープ通路３４と、上部膨出部３２１と、第三ワープ通路３２２と、が設けられる。
【０１２５】
上部膨出部３２１は、第三センター役物３４０の最上部の右側に配置される。上部膨出部３２１は、第三センター役物３４０の最上部にて右上方へ向けて突出される。上部膨出部３２１の左端部は、左下方へ向けて緩やかに傾斜し、遊技球が当該左端部の上面を転動可能に構成される。
【０１２６】
第三ワープ通路３２２は、第三センター役物３４０の右上部及び右部に渡って配置され、正面視略Ｌ字状に形成される。第三ワープ通路３２２は、細長くに延出された筒状に形成され、その内部を球技球が通過可能に構成される。第三ワープ通路３２２の上端部には、前記第三ワープ通路３２２への遊技球の入り口となる第二入球口３２４が、上部膨出部３２１の左端部に開口される。また、第三ワープ通路３２２の下端部には、前記第三ワープ通路３２２からの遊技球の出口となる第二排球口３２５が、左方のステージ３３を臨むように開口される。このような構成により、第三ワープ通路３２２は、第三センター役物３４０の上方で転動する遊技球を、第二入球口３２４及び第二排球口３２５を介してステージ３３上に転動させることができ、ひいては上入賞口２５に入賞させ易くすることができる。
【０１２７】
第四保留装置３３０は、遊技領域１４を転動する遊技球を一時的に保留すると共に前記保留した遊技球を遊技者の操作により再び遊技領域１４へ放出する装置である。第四保留装置３３０は、第三センター役物３４０の上方に配置される。なお、第四保留装置３３０は、保留装置１００の構成と略同一であるため、その詳細な説明を省略する。
【０１２８】
なお、遊技機３０１において、第三ワープ通路３２２の第二入球口３２４は、本発明に係る「特定入球口」の一実施形態である。また、第四保留装置３３０は、本発明に係る「保留装置」の一実施形態である。そして、図１４に示すように、第二入球口３２４は、第四保留装置３３０（より詳細には、第四保留装置３３０の最下部であって遊技球が放出される放出口（下側の開口部１１３））よりも下方であって、前記第四保留装置３３０よりも右方向にずれた位置に配置されている。
【０１２９】
次に、第三センター役物３４０の上部膨出部３２１の左端部の上面を転動する遊技球の転動態様の一例について説明する。
【０１３０】
まず、遊技球Ｐ３０は、第三センター役物３４０の左端部の上面を左下方へ向けて転動している。なお、遊技球Ｐ３０の左下方、すなわち遊技球Ｐ３０の転動方向には、第三ワープ通路３２２の第二入球口３２４が開口される。
遊技球Ｐ３１は、前記遊技球Ｐ３０が左下方へ向けて転動した場合の遊技球である。遊技球Ｐ３１は、第三センター役物３４０の左端部の上面を左下方へ向けて転動している。なお、遊技球Ｐ３１は、第三ワープ通路３２２の第二入球口３２４を飛び越えて（落下せずに）転動したものである。
【０１３１】
次に、第四保留装置３３０から放出された一の遊技球（本実施形態では、遊技球Ｐ３）を、第三センター役物３４０の左端部の上面を左下方へ向けて転動している他の遊技球（本実施形態では、図１４においては遊技球Ｐ３０）に衝突させる場合における、前記一の遊技球及び前記他の遊技球の転動態様を示す。
【０１３２】
第四保留装置３３０から遊技球Ｐ３が放出されて上方から遊技球Ｐ３０に衝突した場合、前記衝突により遊技球Ｐ３０の転動方向が変更される。より詳細には、遊技球Ｐ３０が遊技球Ｐ３の真下方を通り過ぎる前に当該遊技球Ｐ３に衝突した場合、すなわち遊技球Ｐ３の右面に遊技球Ｐ３０の左面が衝突した場合には、図１４に示すように、遊技球Ｐ３０の転動方向が、左下方から右下方へと変更される（遊技球Ｐ３２参照）。すなわち、遊技球Ｐ３０は、遊技球Ｐ３に衝突した後、想定された転動軌跡（遊技球Ｐ３０から遊技球Ｐ３１までを結ぶ直線）を外れて転動することになる。
【０１３３】
そして、遊技球Ｐ３０の変更される転動方向には第三ワープ通路３２２の第二入球口３２４が配置されている。したがって、遊技球Ｐ３０は、遊技球Ｐ３に衝突して転動方向が変更された場合に、第三ワープ通路３２２に進入することになる（遊技球Ｐ３２参照）。すなわち、遊技球Ｐ３０は、遊技球Ｐ３と衝突することにより、第三ワープ通路３２２の第二入球口３２４に入球し易くなる。
【０１３４】
一方、例えば、遊技球Ｐ３０が遊技球Ｐ３の真下方を通り過ぎる直前に当該遊技球Ｐ３に衝突した場合、すなわち遊技球Ｐ３の左面に遊技球Ｐ３０の右面が衝突した場合には、遊技球Ｐ３の転動方向が、真下方から右下方へと変更される。これによって、遊技球Ｐ３は、第三ワープ通路３２２に進入することになる。すなわち、遊技球Ｐ３は、遊技球Ｐ３０と衝突することにより、第三ワープ通路３２２の第二入球口３２４に入球し易くなる。
【０１３５】
以上のように、遊技機３０１においては、遊技者の操作のタイミングにより、第四保留装置３３０から放出された遊技球Ｐ３を第三センター役物３４０の左端部の上面を転動している遊技球Ｐ３に衝突させて前記遊技球Ｐ３及び／又は前記遊技球Ｐ３０の転動状態（方向）を変化させ、前記遊技球Ｐ３及び／又は前記遊技球Ｐ３０を第三ワープ通路３２２の第二入球口３２４へ向けて転動させることができる。その結果、遊技機３０１においては、遊技者の操作のタイミングにより、前記遊技球Ｐ３及び／又は前記遊技球Ｐ３０を第三ワープ通路３２２の第二入球口３２４に入球し易くすることができる。すなわち、遊技者の操作のタイミングが良ければ遊技を有利な条件とすることができるため、操作ボタンを押し操作する遊技者の興趣を高めることができる。
【符号の説明】
【０１３６】
１：遊技機，１４：遊技領域，３４：ワープ通路，３７：入球口，１００：保留装置
【図１】
2014117301.tif 000003
【図２】
2014117301.tif 000004
【図３】
2014117301.tif 000005
【図４】
2014117301.tif 000006
【図５】
2014117301.tif 000007
【図６】
2014117301.tif 000008
【図７】
2014117301.tif 000009
【図８】
2014117301.tif 000010
【図９】
2014117301.tif 000011
【図１０】
2014117301.tif 000012
【図１１】
2014117301.tif 000013
【図１２】
2014117301.tif 000014
【図１３】
2014117301.tif 000015
【図１４】
2014117301.tif 000016